(57)【要約】【課題】簡単な構造で安価であり、広く忌避効果が得られ、省電力で駆動可能な有害動物忌避装置を提供する。【解決手段】地中に全体が埋められる金属製の筒状本体１２と、筒状本体１２に収納され筒状本体１２の内側面に設けられた係止片１６を備える。係止片１６に取り付けられて筒状本１２内に下垂する振動体２０を有する。振動体２０は、ケース体２２と、ケース体２２に収納されケース体２２の内側に設けられた駆動用の電池３２と、電池３２により駆動される振動源のモータ２８とを備える。振動体２０は、筒状本体１２内に下垂された状態で、ケース体２２の下端部２２ａが、筒状本体１２の内側面に接触し、上端部は筒状本体１２の内側面から僅かに離間している。筒状本体１２は、使用状態において、内側面が水平方向に対して傾斜して地中に埋設される。【選択図】図１
2019165700.tif 000002
【特許請求の範囲】
【請求項１】
地中に全体が埋められる金属製の筒状本体と、前記筒状本体に収納され前記筒状本体の内側面に設けられた係止片と、前記係止片に取り付けられて前記筒状本内に下垂する振動体が設けられ、
前記振動体は、ケース体と、前記ケース体に収納され前記ケース体の内側に設けられた駆動用の電源と、前記電源により駆動される振動源とを備え、
前記振動体は、前記筒状本体内に下垂された状態で、下端部が前記筒状本体の内側面に接触し、上端部は前記筒状本体の内側面から僅かに離間して配置されることを特徴とする有害動物忌避装置。
【請求項２】
前記筒状本体は、使用状態において前記内側面が水平方向に対して傾斜して地中に埋設される請求項１記載の有害動物忌避装置。
【請求項３】
前記筒状本体の傾斜角度は、水平方向に対して４５度から７０度である請求項２記載の有害動物忌避装置。
【請求項４】
前記振動源は、前記ケース体内に設けられ前記電源により回転するモータと、前記モータの回転軸に取り付けられ重心位置が変心した重りとから成る請求項１，２又は３記載の有害動物忌避装置。
【請求項５】
前記筒状本体は、上端部が開口し、キャップで開口部が塞がれ、前記キャップに前記振動体を下垂する前記係止片が設けられている請求項１，２又は３記載の有害動物忌避装置。
【発明の詳細な説明】
【技術分野】
【０００１】
この発明は、地中にいるもぐらを振動により追い出し、近づけないようにする有害動物忌避装置に関する。
【背景技術】
【０００２】
従来、もぐらを撃退する有害動物忌避装置にはいろいろな種類があり、特にモータにより振動を発生させる形式の装置が多く提案されている。モータ式の有害動物忌避装置は、地中に全体が埋められる筒状本体と、筒状本体に接続して収納されたモータと、モータを駆動する電池と、モータの駆動軸の先端に偏心して取り付けられた重りが設けられ、重りが回転することにより振動を発生させるものである。
【０００３】
その他、特許文献１に開示されたもぐら撃退装置は、地中に全体が埋められた金属製の筒状本体を有し、筒状本体の側面内側に自由に接触する振動体が、筒状本体に収納されている。振動体はケース体を備え、ケース体の内側にはモータと駆動電源を有し、モータにより重りが回転して、振動を発生するものである。重りは振動体の一端部の内側に位置し、筒状本体は傾けられて地中に設置されるものである。
【先行技術文献】
【特許文献】
【０００４】
【特許文献１】特開２００７−１２４９６８号公報
【発明の概要】
【発明が解決しようとする課題】
【０００５】
上記背景技術の特許文献１に開示されたもぐら撃退装置は、効果的にもぐらを忌避させることができるが、駆動電源に電池を用いる場合、電池寿命が短いという問題があり、さらに振動が広範に伝搬し、より広い範囲に忌避効果がある装置が求められていた。
【０００６】
この発明は、上記従来の技術の問題点に鑑みてなされたものであり、簡単な構造で安価であり、広く忌避効果が得られ、省電力で駆動可能な有害動物忌避装置を提供することを目的とする。
【課題を解決するための手段】
【０００７】
この発明は、地中に全体が埋められる金属製の筒状本体と、前記筒状本体に収納され前記筒状本体の内側面に設けられた係止片と、前記係止片に取り付けられて前記筒状本内に下垂した振動体が設けられ、前記振動体は、ケース体と、前記ケース体に収納され前記ケース体の内側に設けられた駆動用の電源と、前記電源により駆動される振動源とを備え、前記振動体は、前記筒状本体内に下垂された状態で、下端部が前記筒状本体の内側面に接触し、上端部は前記筒状本体の内側面から僅かに離間して配置される有害動物忌避装置である。
【０００８】
前記筒状本体は、使用状態において前記内側面が水平方向に対して傾斜して地中に埋設されるものである。前記筒状本体の傾斜角度は、水平方向に対して４５度から７０度が好ましい。
【０００９】
前記振動源は、前記ケース体内に設けられ前記電源により回転するモータと、前記モータの回転軸に取り付けられ重心位置が変心した重りとから成るものである。
【００１０】
前記筒状本体は、上端部が開口し、キャップで開口部が塞がれ、前記キャップに前記振動体を下垂する前記係止片が設けられている
ものである。
【発明の効果】
【００１１】
この発明の有害動物忌避装置は、小形で安価であり、モータの負荷が極めて小さく消費電力が少ないので、電池を用いた場合の電池寿命が長いものである。さらに、振動の伝搬範囲も広く、広範囲に忌避効果を発揮することができる。
【００１２】
特に、もぐらは、１日のうちで４時間活動し、４時間眠るという修正を備えているので、この発明の装置により、モグラのこの生活サイクルを２４時間の振動により妨害し、眼が見えず皮膚感覚が発達していて極めて振動に敏感なもぐらを、振動の伝わる範囲から効果的に追い出すことができる。さらに、振動体に横揺れがなく、同一位置で効果的に安定して振動を筒状本体に伝えることができる。また、安定した同方向の振動は、電池の消費電力を少なくし、より多くの振動を得る効果が得られる。
【図面の簡単な説明】
【００１３】
【図１】この発明の一実施形態の有害動物忌避装置の縦断面図である。
【図２】この実施形態の有害動物忌避装置の振動体の部分破断正面図である。
【図３】この実施形態の有害動物忌避装置の吊り下げフック付きキャップの平面図（ａ）、底面図（ｂ）、縦断面図（ｃ）である。
【図４】この実施形態の有害動物忌避装置の使用状態を示す縦断面図である。
【発明を実施するための形態】
【００１４】
以下、この発明の実施形態について図面に基づいて説明する。図１〜図４はこの発明の一実施形態を示すもので、この実施形態の有害動物忌避装置１０は、金属製、例えばアルミ製又はスティール製の筒状本体１２が設けられ、筒状本体１２は有底の円筒状に形成され、底面部１２ａは塞がれ上端部１２ｂは円形に開口している。
【００１５】
筒状本体１２の上端部１２ｂには、キャップ１４が取り付けられている。キャップ１４は、ポリエチレン等により成形され、図１、図３に示すように、筒状本体１２の上端部１２ｂ外周に嵌合する嵌合外周縁部１４ａと、筒状本体１２の上端部１２ｂの肉厚より僅かに広い隙間を空けて内側に設けられた嵌合内周縁部１４ｂが一体に形成されている。嵌合内周縁部１４ｂの一箇所には、内周側に突出した係止片であるフック片１６が一体に設けられている。キャップ１４の外側には、摘まみ片１８が突出し、取り扱いを容易にしている。
【００１６】
筒状本体１２の内側空間１２ｃには、振動体２０が収納される。振動体２０は、合成樹脂製または金属製の筒状のケース体２２が設けられ、ケース体２２は、例えば円筒形に形成され、下端部２２ａは半球状に形成されて塞がれている。ケース体２２の上端部２２ｂは、開口し、蓋部材２４により閉塞されている。ケース体２２の上端部２２ｂには、フック片１６に係合する係合片２６が一体に設けられている。ケース体２２の上端部２２ｂを塞いだ蓋部材２４は、ケース体２２内に砂や土が入らないように、上端部２２ｂの開口を密閉するものである。
【００１７】
振動体２０は、係合片２６をフック片１６に掛けて吊り下げた状態で、図１に示すように、筒状本体１２の内側面とケース体２２の外側面とは、僅かな角度θだけ傾斜している。従って、ケース体２２の上端部２２ｂは、筒状本体１２の内側面から離れ、ケース体２２の下端部２２ａのみが、筒状本体１２の内側面に接触した状態となる。
【００１８】
振動体２０のケース体２２の内側には、モータ２８が、下端部２２ａに収容され、その上に、駆動用の回路が形成された制御部３０が設けられている。ケース体２２内の中央部から上方には、駆動用の電源である電池３２が収容されている。電池３２は、例えば単３乾電池１本である。電池３２の上端部は、蓋部材２４により、固定され、電気的に制御部３０に接続される。
【００１９】
モータ２８は、ケース体２２の内面にほぼ密に嵌合可能であり、ケース体２２の側面に緊密に接している。モータ２２の下端側には、回転軸２８ａ突出し、ケース体２２の下端部２２ａの空間３４内に先端部が位置している。回転軸２８ａの先端部には、重心位置が回転軸２８ａからずれて偏心して固定された重り３６が設けられ、空間３４内で回転可能に設けられている。モータ２８と回転軸２８ａ及び重り３６は、モータ２８の回転時に振動源となる。
【００２０】
次に、この実施形態の有害動物忌避装置１０の使用方法及び動作について説明する。有害動物忌避装置１０は、モータ２８が回転すると、回転軸２８ａが軸周りに回転する。このとき、回転軸２８ａは重り３６が偏心して取り付けられているため、回転軸２８ａやモータ２８及びその周辺に振動が発生する。モータ２８等の振動はケース体２２の側面に直接伝わる。なお、モータ２８の回転は、連続回転でもよいが、制御部３０に制御回路を設けて間欠回転にしてもよい。間欠回転にすることにより、消費電力を抑え電池寿命を延ばすことができる。辻
有害動物忌避装置１０の使用時には、振動体２０のケース体２２に電池３２を入れ、図示しないスイッチを入れて、モータ２８を駆動させる。その後又は前に、キャップ１４のフック片１６に係合片２６を掛け、キャップ１４に振動体２０を吊り下げた状態にして、筒状本体１２の中へ入れる。振動体２０は、吊り下げられた状態になることにより、モータ２８の負荷が少なく、振動も良好に発生する。
【００２１】
次に、この実施形態の有害動物忌避装置１０を地面に設置する。このとき、図４に示すように、地面４０を所定深さに掘った穴の中に、筒状本体１２の側面が水平方向に対して約４５度〜７０度、好ましくは５５度〜６５度、ここでは６０度に傾斜した状態にして設置する。振動体２０は、水平面に対して約４５度〜７０度、好ましくは５５度〜６５度の角度の範囲に傾けたときに、良好に振動し、電池３２の寿命も長くなる。この状態でも、振動体２０は、フック片１６に係合片２６が掛けられ、筒状本体１２の内側空間１２ｃ内に吊り下げられた状体であり、ケース体２２の下端部２２ａが筒状本体１２の内側面に接触した状態となる。従って、筒状本体１２の内側面と振動体２０のケース体２２の外側面とは、僅かな角度θだけ傾斜して、ケース体２２の上端部２２ｂは筒状本体１２の内側面から離れ、下端部２２ａのみが筒状本体１２の内側面に接触した状態で吊り下げられている。これにより、振動体２０は、筒状本体１２内で自由に振動し、振動を良好に伝えると共に、振動により、筒状本体１２にケース体２２の下端部２２ａが衝突し、効率よく筒状本体１２を振動させる。
【００２２】
筒状本体１２を上記所定の傾斜角度で設置した後、穴を土で埋め戻す。なお、埋設する深さは、もぐらが常時移動する深さである、地表から約２０ｃｍ程度が好ましい。
【００２３】
筒状本体１２は、電池３２が消耗するまで動作を継続し、地面４０の下方の土を振動させ、もぐらを排除する。
【００２４】
この実施形態の有害動物忌避装置１０によれば、形状が小形であり、少ない消費電力で効率よくもぐらを排除することができる。特に、筒状本体１２のキャップ１４に、振動体２０を吊り下げて取り付けるので、ケース体２２が良好に振動し、モータ２８の負荷が少ない。そして、振動体２０により効率よく筒状本体１２に間接振動を発生させ、この間接振動がさらに地面４０の下方の広い範囲に伝わり、もぐらを確実に忌避することができる。しかも、有害動物忌避装置１０は直接土を強くたたかないため、土中で移動せず、エネルギーの無駄がなく効率が良い。
【００２５】
さらに、筒状本体１２は、以下のような作用効果を有する。振動体２０よりも大きな表面積を持っているため、より広範囲に振動を伝える。土に触れずに筒状本体１２内部の空間で振動するため、効率良く安定して振動する。振動体２０を単独で土に埋めると、振動により下の方へもぐりやすくなり、効率の良い振動が妨げられるが、筒状本体１２に入れることにより、それを防ぐことができる。振動体２０を筒状本体１２に入れると、振動が間接的に土に伝わることになるが、筒状本体１２の材質は金属のため、効率良く振動を伝えることができる。さらに、無駄な横揺れが少なく、同方向に安定して強い振動を広範囲に伝えることができる
振動体２０は、モータ２８がケース体２２と一体的に設けられ、モータ２８の振動が確実に効率よくケース体２２に伝わると共に、重り３６の偏心による振動で容易に壊れてしまうこともない。また、高い防水性を有し、土に埋めたときに砂や水が浸入せず、安全である。
【００２６】
なお、この発明の有害動物忌避装置は、上記実施の形態に限定されるものではなく、筒状本体や振動体の形状や大きさ、素材は任意に決定できるものであり、筒状本体と振動体の形状は自由であり、筒状本体を円筒形に形成し、振動体を角柱形に形成すると、筒状本体より効果的に振動させることができる。
【実施例】
【００２７】
次に、この発明の有害動物忌避装置１０の作動時間等の実験結果について説明する。電池３２は単３アルカリ電池を使用し、水平面に対する筒状本体１２の傾斜角度が、（ａ）０度、（ｂ）４５度で電池がモータの上方に配置し吊り下げずに収納、（ｃ）４５度で電池がモータの下方に配置し吊り下げずに収納、（ｄ）６０度で電池がモータの上方に配置され振動体を吊り下げ、の４種類のパターンについて実験した。実験は、各パターンについて７台の実験用の装置を用意し、連続駆動した場合の電池寿命と地中での振動を測定した。
【００２８】
その結果、電池寿命の平均値は、（ａ）１６時間４０分、（ｂ）１４時間０分、（ｃ）２１時間５０分、（ｄ）２１時間３０分であった。
【００２９】
地中での振動は、（ａ）が最も強いが、水平方向の広がりが最も狭いものであった。（ｃ）は電池寿命が最も長かったが、振動が相対的に弱いものであった。
【００３０】
従って、上記実験では、（ｄ）の傾斜角度６０度で電池がモータの上方に配置され、且つ振動体を吊り下げたものが、電池寿命及び振動の伝搬の点で最も有効なものであった。なお、傾斜角度が４５度の場合も、電池を上にしてセットし、吊り下げて収納した場合には、電池寿命はより長くなることが分かった。
【００３１】
なお、実際の使用時には、間欠駆動による振動を発生させ、電池寿命を数倍から数十倍に延ばして、交換頻度を少なくしたものとすると良い。
【符号の説明】
【００３２】
１０  有害動物忌避装置
１２  筒状本体
１２ａ  底面部
１２ｂ  上端部
１４  キャップ
１４ａ  嵌合外周縁部
１４ｂ  嵌合内周縁部
１６  フック片
１８  摘まみ片
２０  振動体
２２  ケース体
２２ａ  下端部
２２ｂ  上端部
２６  係合片
２８  モータ
２８ａ  回転軸
３０  制御部
３２  電池
３４  空間
３６  重り
【図１】
2019165700.tif 000003
【図２】
2019165700.tif 000004
【図３】
2019165700.tif 000005
【図４】
2019165700.tif 000006
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
地中に全体が埋められる金属製の筒状本体と、前記筒状本体に収納され前記筒状本体の内側面に設けられた係止片と、前記係止片に取り付けられて前記筒状本内に吊り下げられて下垂する振動体が設けられ、
前記振動体は、ケース体と、前記ケース体に収納され前記ケース体の内側に設けられた駆動用の電源と、前記電源により駆動される振動源とを備え、
前記振動体は、前記係止片に取り付けられ前記筒状本体内に吊り下げられて下垂された状態で、前記筒状本体の内側面と前記ケース体の外側面とは所定の角度だけ傾斜して下垂され、前記ケース体の下端部のみが前記筒状本体の内側面に接触し、上端部は前記係止片に取り付けられて前記筒状本体の内側面から僅かに離間して配置され、
前記筒状本体は、使用状態において、前記内側面が水平方向に対して傾斜して地中に埋設され、前記筒状本体の傾斜角度は、水平方向に対して４５度から７０度であり、前記振動体は、前記筒状本体内に吊り下げられた状態で地中に埋設され、前記筒状本体の内側面と前記ケース体の外側面とは、地中に埋設された状態でも、互いに前記所定の角度だけ傾斜して前記振動体が吊り下げられているとともに、前記ケース体の下端部のみが前記筒状本体の内側面に接触していることを特徴とする有害動物忌避装置。
【請求項２】
前記振動源は、前記ケース体内に設けられ前記電源により回転するモータと、前記モータの回転軸に取り付けられ重心位置が変心した重りとから成る請求項１記載の有害動物忌避装置。
【請求項３】
前記筒状本体は、上端部が開口し、キャップで開口部が塞がれ、前記キャップに前記振動体を下垂する前記係止片が設けられている請求項１又は２記載の有害動物忌避装置。